(57)【要約】【課題】灯具の高さ調整を容易に行いうる動植物鑑賞容器用照明装置を提供することにある。【解決手段】照明装置１は、フレキシブルアームからなる支持アーム２と、支持アーム２の先端部に設けられた灯具３と、支持アーム２を容器５０の周側板５２の上端部５２ａからなる取付け箇所Ａに取外し可能に取り付ける取付け具４とを具備する。取付け具４は、取付け箇所Ａに着脱自在に固定する取付け具本体５と、支持アーム２をその長さ方向に移動可能に接続する接続部とを備える。【選択図】図１
2019061936.tif 000002
【特許請求の範囲】
【請求項１】
フレキシブルアームからなる支持アームと、
前記支持アームの先端部に設けられた灯具と、
前記支持アームを容器の周側板の上端部からなる取付け箇所に取外し可能に取り付ける取付け具と、を具備し、
前記取付け具は、前記取付け箇所に着脱自在に固定する取付け具本体と、前記支持アームをその長さ方向に移動可能に接続する接続部とを備えている動植物鑑賞容器用照明装置。
【請求項２】
前記取付け具は、前記接続部として、前記支持アームを前記支持アームの挟持箇所が前記支持アームの長さ方向に連続的に変更可能になるように挟持する挟持部を備えている請求項１記載の動植物観賞容器用照明装置。
【請求項３】
前記挟持部は、前記取付け具本体との間で前記支持アームを挟持する挟持片と、前記挟持片と前記取付け具本体との間で前記支持アームの挟持箇所を挟持するように前記挟持片を前記取付け具本体側へ締め付ける締付けねじとを有しており、
前記締付けねじは、前記挟持片に設けられた締付けねじ用挿通孔に挿通させて前記締付けねじの先端部を前記取付け具本体に設けられたねじ孔に螺合させることにより、前記挟持片を前記取付け具本体側へ締め付けるものである請求項２記載の動植物鑑賞容器用照明装置。
【請求項４】
前記支持アームの外周の断面形状は円形状であり、
前記挟持片と前記取付け具本体は、それぞれ、前記支持アームの外周の断面形状に対応して凹んだ断面凹円弧状の挟持面を有しており、
前記支持アームは、前記挟持片の前記挟持面と前記取付け具本体の前記挟持面との間で挟持される請求項３記載の動植物観賞容器用照明装置。
【請求項５】
前記取付け具本体は、前記取付け箇所が嵌め込まれる下方に開口した断面略コ字状の嵌込み凹部と、前記嵌込み凹部内に嵌め込まれた前記取付け箇所を前記嵌込み凹部における一対の対向壁部のうち一方の対向壁部に押し付ける押付けねじとを有しており、
前記押付けねじは、前記一対の対向壁部のうち他方の対向壁部に設けられたねじ孔に螺挿させて前記押付けねじの先端で前記取付け箇所を前記一方の対向壁部に押し付けるものである請求項１〜４のいずれかに記載の動植物観賞容器用照明装置。
【請求項６】
さらに、容器が設置される設置面上に載置され前記支持アームを支持する支持脚を具備しており、
前記支持脚は、前記取付け具が前記取付け具本体で着脱自在に固定される部位を有している請求項１〜５のいずれかに記載の動植物観賞容器用照明装置。
【発明の詳細な説明】
【技術分野】
【０００１】
本発明は、動物鑑賞容器（例：鑑賞魚用水槽）、植物観賞容器などの動植物鑑賞容器に用いられる照明装置に関する。
【背景技術】
【０００２】
動植物鑑賞容器として例えば鑑賞魚用水槽には、その内側を上側から照明するための照明装置が取り付けられる。例えば特開２００６−２６２７６１号公報（特許文献１）には、照明装置が水槽のコーナー部に設けられた支柱の上端に取り付けられる構造が開示されている。
【先行技術文献】
【特許文献】
【０００３】
【特許文献１】特開２００６−２６２７６１号公報
【発明の概要】
【発明が解決しようとする課題】
【０００４】
而して、水槽に取り付けられる従来の照明装置では、光源を搭載した灯具は支持アームの先端部に回転自在に枢支されて灯具の向き（即ち照明方向）を変更しうるようになっているが、この支持アームは剛性を有するものなので、灯具の高さ調整を行いにくかった。
【０００５】
本発明は、上述した技術背景に鑑みてなされたもので、その目的は、灯具の高さ調整を容易に行いうる動植物鑑賞容器用照明装置を提供することにある。
【課題を解決するための手段】
【０００６】
本発明は以下の手段を提供する。
【０００７】
［１］  フレキシブルアームからなる支持アームと、
前記支持アームの先端部に設けられた灯具と、
前記支持アームを容器の周側板の上端部からなる取付け箇所に取外し可能に取り付ける取付け具と、を具備し、
前記取付け具は、前記取付け箇所に着脱自在に固定する取付け具本体と、前記支持アームをその長さ方向に移動可能に接続する接続部とを備えている動植物鑑賞容器用照明装置。
【０００８】
［２］  前記取付け具は、前記接続部として、前記支持アームを前記支持アームの挟持箇所が前記支持アームの長さ方向に連続的に変更可能になるように挟持する挟持部を備えている前項１記載の動植物観賞容器用照明装置。
【０００９】
［３］  前記挟持部は、前記取付け具本体との間で前記支持アームを挟持する挟持片と、前記挟持片と前記取付け具本体との間で前記支持アームの挟持箇所を挟持するように前記挟持片を前記取付け具本体側へ締め付ける締付けねじとを有しており、
前記締付けねじは、前記挟持片に設けられた締付けねじ用挿通孔に挿通させて前記締付けねじの先端部を前記取付け具本体に設けられたねじ孔に螺合させることにより、前記挟持片を前記取付け具本体側へ締め付けるものである前項２記載の動植物鑑賞容器用照明装置。
【００１０】
［４］  前記支持アームの外周の断面形状は円形状であり、
前記挟持片と前記取付け具本体は、それぞれ、前記支持アームの外周の断面形状に対応して凹んだ断面凹円弧状の挟持面を有しており、
前記支持アームは、前記挟持片の前記挟持面と前記取付け具本体の前記挟持面との間で挟持される前項３記載の動植物観賞容器用照明装置。
【００１１】
［５］  前記取付け具本体は、前記取付け箇所が嵌め込まれる下方に開口した断面略コ字状の嵌込み凹部と、前記嵌込み凹部内に嵌め込まれた前記取付け箇所を前記嵌込み凹部における一対の対向壁部のうち一方の対向壁部に押し付ける押付けねじとを有しており、
前記押付けねじは、前記一対の対向壁部のうち他方の対向壁部に設けられたねじ孔に螺挿させて前記押付けねじの先端で前記取付け箇所を前記一方の対向壁部に押し付けるものである前項１〜４のいずれかに記載の動植物観賞容器用照明装置。
【００１２】
［６］  さらに、容器が設置される設置面上に載置され前記支持アームを支持する支持脚を具備しており、
前記支持脚は、前記取付け具が前記取付け具本体で着脱自在に固定される部位を有している前項１〜５のいずれかに記載の動植物観賞容器用照明装置。
【発明の効果】
【００１３】
本発明は以下の効果を奏する。
【００１４】
前項１では、取付け具は支持アームをその長さ方向に移動可能に接続する接続部を備えているから、接続部で接続される支持アームの接続箇所を変更することにより灯具の高さを調節しうる。したがって、灯具の高さ調節を容易に行うことができる。
【００１５】
しかも、支持アームがフレキシブルアームからなるので、灯具の高さ調節をより一層容易に行うことができるし、また灯具の向き（即ち照明方向）も容易に変更することができるし、灯具の水平位置（即ち水平方向における灯具の位置）も容易に変更することができる。
【００１６】
前項２では、取付け具は接続部として挟持部を備えているので、挟持部で挟持される支持アームの挟持箇所を変更することにより灯具の高さを調節しうる。したがって、灯具の高さ調節を確実に容易に行うことができる。
【００１７】
しかも、挟持部は、支持アームを支持アームの挟持箇所が支持アームの長さ方向に連続的に変更可能になるように挟持するものなので、灯具の高さを細かく調節することができるしその調節作業も行い易い。
【００１８】
前項３では、挟持部は挟持片と締付けねじを有しているので、支持アームを確実に挟持することができる。
【００１９】
前項４では、支持アームの外周の断面形状が円形状であり、挟持片の挟持面と取付け具本体の挟持面は、それぞれ、支持アームの外周の断面形状に対応して凹んだ断面凹円弧状に形成されているので、支持アームをしっかりと挟持できることはもとより、更に、灯具の水平位置を大きく変更したい場合には、支持アームの挟持を一旦解除してから支持アームをその周方向に回転させて支持アームを再度挟持することにより灯具の水平位置を大きく変更することができるし、このように灯具の水平位置を変更した後でも支持アームをしっかりと挟持することができる。
【００２０】
前項５では、取付け具本体は下方に開口した嵌込み凹部と押付けねじを有しているので、取付け具本体の固定作業を容易に行うことができる。
【００２１】
前項６では、支持脚は取付け具が取付け具本体で固定される部位を有しているので、取付け具を容器の周側板の上端部から取り外して支持脚の当該部位に固定することにより、照明装置を照明スタンドとして使用することができる。
【図面の簡単な説明】
【００２２】
【図１】図１は、本発明の一実施形態に係る照明装置をその使用状態で示す図である。
【図２】図２は、同照明装置の取付け具を観賞魚用水槽の周側板の上端部からなる取付け箇所に固定した状態で示す斜視図である。
【図３】図３は、図２中のＸ−Ｘ線断面図である。
【図４】図４は、図２中のＹ−Ｙ線断面図である。
【図５】図５は、同取付け具の分解斜視図である。
【図６】図６は、同照明装置を照明スタンドとして使用する場合の斜視図である。
【発明を実施するための形態】
【００２３】
本発明の一実施形態について図面を参照して以下に説明する。
【００２４】
図１に示すように、本発明の一実施形態に係る動植物鑑賞容器用照明装置１は、動植物鑑賞容器として例えば観賞魚用水槽５０の内側をその上側から照明するために用いられるものである。
【００２５】
水槽５０は、上面が開放した直立方体形状のものであり、平面視四角形状の底板５１と底板５１の四周縁にそれぞれ立ち上がり状に設けられた透明なガラス製の周側板５２とを備えている。各周側板５２は平坦状に形成されている。図１中の符号「７０」は、水槽５０が設置される設置面である。設置面７０は床面や水槽用載置台の天面などからなり、平坦状である。
【００２６】
照明装置１は、照明装置本体としての灯具３、支持アーム２、取付け具４などを具備している。
【００２７】
灯具３は、円筒状に形成されており、その内側に光源（例：ＬＥＤ光源）（図示せず）、反射鏡（図示せず）、光源制御器（図示せず）などが搭載されている。灯具３の光照射口は灯具３の円筒軸方向の一端面３ａに形成されおり、灯具３の照明光はこの光照射口から灯具３の円筒軸方向に照射される。
【００２８】
支持アーム２は、灯具３を支持するものであり、一方向に延びる中空状の金属製フレキシブルアームからなる。支持アーム２の外周の断面形状は円形状である。
【００２９】
支持アーム２の先端には灯具３が取り付けられており、支持アーム２の基端には灯具３へ給電する電源装置としてのＡＣアダプタ４０が取り付けられている。灯具３とＡＣアダプタ４０は支持アーム２内に挿通された給電線（図示せず）を介して電気的に接続されている。また、ＡＣアダプタ４０から商用電源コード４１が導出されている。
【００３０】
取付け具４は、図２〜５に示すように、支持アーム２を水槽５０の周側板５２の上端部５２ａからなる取付け箇所Ａに取外し可能に取り付けるプラスチック製のものであり、取付け具４を取付け箇所Ａ（即ち水槽５０の周側板５２の上端部５２ａ）に着脱自在に固定する固定部としての取付け具本体５と、支持アーム２をその長さ方向に移動可能に接続する接続部１１と、を備えている。
【００３１】
本実施形態では、取付け具４は、接続部１１として、支持アーム２を支持アーム２の挟持箇所２ａ（即ち支持アーム２の接続箇所２ａ）が支持アーム２の長さ方向に連続的に変更可能になるように挟持する挟持部１２を備えている。
【００３２】
挟持部１２は、挟持片１３と、二つの締付けねじ１８、１８とを有している。挟持片１３と締付けねじ１２はともにプラスチック製である。
【００３３】
取付け具本体５は、図５に示すように、取付け箇所Ａが嵌め込まれる嵌込み凹部６と、プラスチック製の押付けねじ９とを有している。嵌込み凹部６は、互いに対向状に離間して配置された一対の対向壁部７Ａ、７Ｂと両対向壁部７Ａ、７Ｂの上端部同士を連結した上壁部８とによって、下方に開口した断面略コ字状に形成されている。
【００３４】
図２及び５に示すように、取付け具本体５の嵌込み凹部６内には取付け箇所Ａがその上側から嵌め込まれる。ここで説明の便宜上、この嵌込み状態において両対向壁部７Ａ、７Ｂのうち水槽５０の外側５０Ａに配置される対向壁部７Ａを「第１対向壁部７Ａ」、水槽５０の内側５０Ｂに配置される対向壁部７Ｂを「第２対向壁部７Ｂ」という。
【００３５】
押付けねじ９は、嵌込み凹部６内に嵌め込まれた取付け箇所Ａを第１対向壁部７Ａ（詳述すると第１対向壁部７Ａの内側面７Ａｂ）に押し付けるものである。
【００３６】
第２対向壁部７Ｂにはその厚さ方向に貫通した押付けねじ９用ねじ孔１０（図３、４参照）が設けられている。
【００３７】
取付け具４を水槽５０の取付け箇所Ａに固定する場合は、取付け具本体５の嵌込み凹部６内に取付け箇所Ａをその上側から嵌め込み、そして第２対向壁部７Ｂのねじ孔１０に第２対向壁部７Ｂの外側面７Ｂａ側（即ち水槽５０の内側５０Ｂ）から螺挿された押付けねじを手指の力で進行方向（押付け方向）に回転させてその先端で取付け箇所Ａを第１対向壁部７Ａ（詳述すると第１対向壁部７Ａの内側面７Ａｂ）に押し付ける。これにより、図２〜４に示すように、取付け具４（詳述すると取付け具本体５）が取付け箇所Ａに固定される。
【００３８】
一方、取付け具４の固定を解除する場合は、押付けねじ９を手指の力で後退方向に回転させることにより、押付けねじ９による取付け箇所Ａの第１対向壁部７Ａへの押付けを解除する。これにより、取付け具４の固定が解除されて取付け具４を取付け箇所Ａから取り外すことができる。
【００３９】
図５に示すように、挟持片１３は、取付け具本体５との間で支持アーム２を挟持するものであり、詳述すると取付け具本体５の第１対向壁部７Ａの外側面７Ａａとの間で支持アーム２の長さ方向の一部２ａを挟持するものである。
【００４０】
挟持片１３による支持アーム２の挟持構造及びその挟持方法について以下に説明する。
【００４１】
図５に示すように、取付け具本体５の第１対向壁部７Ａの外側面７Ａａの左右方向の中間部には上下方向に延びた突条２１が一体形成されるとともに、突条２１の先端面には支持アーム２の外周の断面形状に対応して凹んだ断面凹円弧状（詳述すると断面凹半円弧状）の挟持面２２が上下方向に延びて形成されている。この挟持面２２には滑り止め用ゴム片２３が貼着されている。
【００４２】
挟持片１３における取付け具本体５側の面（この面を挟持片１３の内側面という）の左右方向の中間部には、上述の突条２１に対応した溝条１４が上下方向に延びて形成されるとともに、溝条１４の底面には支持アーム２の外周の断面形状に対応して凹んだ断面凹円弧状（詳述すると断面凹半円弧状）の挟持面１５が上下方向に延びて形成されている。この挟持面１５には滑り止め用ゴム片１６が貼着されている。
【００４３】
また、挟持片の左右両端部にはそれぞれその厚さ方向に貫通した締付けねじ１８用挿通孔１７が設けられている。取付け具本体５の第１対向壁部７Ａの外側面７Ａａの左右両端部にはそれぞれ締付けねじ１８用ねじ孔２４が設けられている。
【００４４】
支持アーム２を挟持する場合は、支持アーム２の長さ方向の一部２ａを挟持片１３の挟持面１５と取付け具本体５の挟持面２２との間で挟むように挟持片１３の溝条１４と取付け具本体５の突条２１とを嵌合させるとともに、図３及び４に示すように挟持片１３の各挿通孔１７に挟持片１３の外側面側から挿通された各締付けねじ１８を手指の力で前進方向に回転させてその先端部を取付け具本体５の対応するねじ孔２４に螺合させることにより、挟持片１３を取付け具本体５側に締め付ける。これにより、挟持片１３と取付け具本体５との間（詳述すると挟持片１３の挟持面１５と取付け具本体５の挟持面２２との間）で支持アーム２がその長さ方向に移動しないように且つその周方向に回転しないように挟持されて、支持アーム２が取付け具４にその挟持部１２（接続部１１）で略起立状に接続される。
【００４５】
一方、灯具３の高さを調節するために支持アーム２の挟持箇所２ａを変更する場合は、各締付けねじ１８を手指の力で後退方向に回転させることにより、締付けねじ１８による挟持片１３の取付け具本体５側への締付けを解除する。これにより、支持アーム２の挟持が解除されて支持アーム２がその長さ方向に連続的に移動可能になる。
【００４６】
次いで、灯具３が所望する高さになるように支持アーム２をその長さ方向に移動させ、灯具３が所望する高さのとき各締付けねじ１８により挟持片１３を取付け具本体５側へ締め付けることで支持アーム２を再度挟持する。これにより、挟持片１３と取付け具本体５との間で挟持される支持アーム２の挟持箇所２ａが変更されて灯具３の高さが調節される。
【００４７】
ここで、支持アーム２がフレキシブルアームからなることから、灯具３の高さ調節は、支持アーム２の挟持箇所２ａを変更せずに支持アーム２を手の力で屈曲させることにより行うことも可能であるし、また、灯具の向き（即ち照明方向）や灯具の水平位置の変更についても支持アーム２を屈曲させることで行うことができる。
【００４８】
図６は、照明装置１を照明スタンドとして使用する場合を示す斜視図である。同図では、照明装置１は、動植物観賞容器として例えば陸生植物鑑賞容器（陸生植物育成容器を含む）６０の内側をその上側から照明するために用いられるものであり、上述した灯具３、支持アーム２及び取付け具４のほかに更に支持脚３０を具備している。
【００４９】
容器６０は、上面が開放した略有底円筒体形状（詳述すると略有底円錐台筒体形状）のガラス製のものであり、平面視円形状の底板６１と底板６１の円周縁にその全周に亘って略立ち上がり状に設けられた周側板６２とを備えている。底板６１と周側板６２はともに透明である。
【００５０】
支持脚３０は、容器６０が設置される設置面（床面、容器用載置台の天面など）７０上に載置されて支持アーム２を支持するものである。この支持脚３０は、設置面７０に接触して設置面７０上に起立状に載置される支持板３１と、支持板の下端部から設置面７０と略平行に突出する二つの棒状の接面脚部３２、３２とを具備している。
【００５１】
接面脚部３２は、設置面７０上に載置された支持脚３０（支持板３１）の安定性を高めるためのものであり、設置面７０と平行な方向に設置面７０に接触して設置面７０上に載置される。
【００５２】
同図に示した照明装置１では、取付け具４はその取付け具本体５で支持板３１の上端部３１ａに着脱自在に固定されている。
【００５３】
すなわち、取付け具本体５の嵌込み凹部（６、図２参照）内に支持板３１の上端部３１ａがその上側から嵌め込まれるとともに、押付けねじ（９、図２参照）の先端で支持板３１の上端部３１ａが取付け具本体５の第１対向壁部（７Ａ、図２参照）に押し付けられており、これにより取付け具４が支持板３１の上端部３１ａに着脱自在に固定されている。
【００５４】
したがって、支持脚３０では、支持板３１の上端部３１ａが、取付け具４が取付け具本体５で着脱自在に固定される部位（箇所）Ａに対応している。
【００５５】
本実施形態の照明装置１には次の利点がある。
【００５６】
照明装置１では、取付け具４は、支持アーム２をその長さ方向に移動可能に接続する接続部１１を備えているので、接続部１１で接続される支持アーム２の接続箇所２ａを変更することにより灯具３の高さを調節しうる。したがって、灯具３の高さ調節を容易に行うことができる。
【００５７】
しかも、支持アーム２がフレキシブルアームからなるので、灯具３の高さ調節をより一層容易に行うことができるし、また灯具３の向き（即ち照明方向）も容易に変更することができるし、灯具３の水平位置も容易に変更することができる。
【００５８】
さらに、取付け具４は接続部１１として挟持部１２を備えているので、挟持部１２で挟持される支持アーム２の挟持箇所２ａを変更することにより灯具３の高さを調節しうる。したがって、灯具３の高さ調節を確実に容易に行うことができる。
【００５９】
しかも、挟持部１２は、支持アーム２を支持アーム２の挟持箇所２ａが支持アーム２の長さ方向に連続的に変更可能になるように挟持するものなので、灯具３の高さを細かく調節することができるしその調節作業も行い易い。
【００６０】
さらに、挟持部１２は挟持片１３と締付けねじ１８を有しているので、支持アーム２を確実に挟持することができる。
【００６１】
さらに、支持アーム２の外周の断面形状が円形状であり、挟持片１３の挟持面１５と取付け具本体５の挟持面２２は、それぞれ、支持アーム２の外周の断面形状に対応して凹んだ断面凹円弧状に形成されているので、支持アーム２をしっかりと挟持できることはもとより、更に、灯具３の水平位置を大きく変更したい場合には、支持アーム２の挟持を一旦解除してから支持アーム２をその周方向に回転させて支持アーム２を再度挟持することにより灯具３の水平位置を大きく変更することができるし、このように灯具３の水平位置を変更した後でも支持アーム２をしっかりと挟持することができる。
【００６２】
また、取付け具本体５は下方に開口した嵌込み凹部６と押付けねじ９とを有しているので、取付け具本体５の固定作業を容易に行うことができる。
【００６３】
また、照明装置１が支持脚３０を具備している場合においては、支持脚３０は、取付け具４が取付け具本体５で固定される部位Ａとして支持板３１（詳述すると支持板３１の上端部３１ａ）を有しているので、取付け具４を水槽５０の周側板５２の上端部５２ａから取り外して支持脚３０の支持板３１に固定することにより、照明装置１を照明スタンドとして使用することができる。
【００６４】
このように、照明装置１は、図１に示した観賞魚用水槽５０や図６に示した陸生植物鑑賞容器６０などの様々な大きさや形状の容器に対して使用することができるし、また容器の大きさ、形状、種類等に応じて、照明装置１の支持アーム２を容器の周側板の上端部に取り付けたり照明装置１を照明スタンドとして使用したりすることができる。
【００６５】
以上で本発明の一実施形態について説明したが、本発明は上記実施形態に限定されるものではなく、本発明の要旨を逸脱しない範囲で様々に変更可能である。
【００６６】
例えば、本発明に係る照明装置は、上記実施形態で示したような観賞魚用水槽５０や陸生植物鑑賞容器６０に用いられるものであることに限定されるものではなく、その他に例えば、水草等の水生植物観賞水槽（水生植物育成水槽を含む）に用いられるものであっても良い。
【産業上の利用可能性】
【００６７】
本発明は、動物鑑賞容器（例：鑑賞魚用水槽）、植物観賞容器などの動植物鑑賞容器に用いられる照明装置に利用可能である。
【符号の説明】
【００６８】
１：照明装置                          ２：支持アーム
３：灯具                              ４：取付け具
５：取付け具本体                      ６：嵌込み凹部
７Ａ、７Ｂ：対向壁部                  ９：押付けねじ
１０：押付けねじ用ねじ孔            １１：接続部
１２：挟持部                        １３：挟持片
１７：締付けねじ用挿通孔            １８：締付けねじ
２４：締付けねじ用ねじ孔            ３０：支持脚
５０：水槽（容器）                  ５２：周側板
５２ａ：周側板の上端部                Ａ：取付け箇所
７０：設置面
【図１】
2019061936.tif 000003
【図２】
2019061936.tif 000004
【図３】
2019061936.tif 000005
【図４】
2019061936.tif 000006
【図５】
2019061936.tif 000007
【図６】
2019061936.tif 000008